(57)【特許請求の範囲】
【請求項１】
折り畳み式のモバイルデバイスであって、
前記モバイルデバイスの折り畳まれた状態を可能にするために、ハウジングの折り畳み軸の周りに折り畳み可能な第1の部分および第2の部分を有する前記ハウジングと、
前記ハウジングに動作可能に組み付けられたアンテナと、
前記第1の部分の前側および前記第2の部分の前側に取り付けられたディスプレイであって、前記第1の部分は、前記第1の部分の前記前側とは反対側の前記第1の部分の後側に構成された第1のプレートと第1の接触構造とを含み、前記第2の部分は、前記第2の部分の前記前側とは反対側の前記第2の部分の後側に構成された第2のプレートを含み、前記モバイルデバイスが、前記折り畳まれた状態で動作するとき、前記第1のプレートと前記第2のプレートとは前記第1の接触構造を介して互いに導電的に結合される、ディスプレイと
を含み、
前記第1のプレートの外側の表面は、非導電性材料の第1の層によって十分に覆われており、前記第2のプレートの外側の表面は、非導電性材料の第2の層によって十分に覆われている、折り畳み式のモバイルデバイス。
【請求項２】
前記第1の接触構造は、前記モバイルデバイスが折り畳まれたときに、前記第1のプレートと前記第2のプレートとの間の潜在的な電磁的損失モード共鳴から前記アンテナを十分に保護するように構成される、請求項1に記載の折り畳み式のモバイルデバイス。
【請求項３】
前記第1の接触構造は、前記モバイルデバイスが折り畳まれたときに、前記第1のプレートと前記第2のプレートとの間に存在する電磁的損失モード共鳴を低減するように構成される、請求項1に記載の折り畳み式のモバイルデバイス。
【請求項４】
前記第1のプレートおよび前記第2のプレートは、導電性材料で作製される、請求項1に記載の折り畳み式のモバイルデバイス。
【請求項５】
前記ディスプレイは、前記第1の部分の前記前側に第1のディスプレイ領域、および前記第2の部分の前記前側に第2のディスプレイ領域を有するフレキシブルディスプレイを含み、前記フレキシブルディスプレイは、前記折り畳み式モバイルデバイスが、広げられた状態にあるとき、十分に、平らな面上に前記第1のディスプレイ領域および前記第2のディスプレイ領域の両方を提供する、請求項1に記載の折り畳み式のモバイルデバイス。
【請求項６】
前記ディスプレイは、2つの物理的に別個のディスプレイ画面を含む、請求項1に記載の折り畳み式のモバイルデバイス。
【請求項７】
前記折り畳み式のモバイルデバイスが、前記折り畳まれた状態にあるとき、前記ディスプレイは、前記折り畳み式モバイルデバイスの外側から物理的に見える、請求項1に記載の折り畳み式のモバイルデバイス。
【請求項８】
前記第1の接触構造は、パターンに従って前記第1のプレートにわたって構成された1または複数の導電性ピンを含み、2つの隣接する導電性ピン間の距離は離隔閾値によって制限される、請求項1に記載の折り畳み式のモバイルデバイス。
【請求項９】
前記離隔閾値は、15mm未満である、請求項8に記載の折り畳み式のモバイルデバイス。
【請求項１０】
前記第1の接触構造は、1または複数の導電性バーを含む、請求項1に記載の折り畳み式のモバイルデバイス。
【請求項１１】
前記第2のプレートの側方は、前記モバイルデバイスが、前記折り畳まれた状態にあるときに、前記第1のプレートを前記第2のプレートに導電的に結合させるために前記第1の接触構造と接触すべき導電性領域を伴って構成される、請求項1に記載の折り畳み式のモバイルデバイス。
【請求項１２】
前記第2のプレートの第2の接触構造が設けられており、前記導電性領域が前記第2の接触構造によって提供される、請求項11に記載の折り畳み式のモバイルデバイス。
【請求項１３】
前記第1のプレートは、前記第1の部分の前記後側を十分に覆い、前記第2のプレートは、前記第2の部分の前記後側を十分に覆う、請求項1に記載の折り畳み式のモバイルデバイス。
【請求項１４】
前記第1の部分および前記第2の部分は第1の磁石ブロックおよび第2の磁石ブロックをそれぞれ含み、前記第1の磁石ブロックおよび前記第2の磁石ブロックは、前記折り畳み式のモバイルデバイスが、前記折り畳まれた状態にあるときに、前記導電的な結合のために前記第1のプレートおよび前記第2のプレートを磁気によって位置決めするように構成される、請求項1に記載の折り畳み式のモバイルデバイス。
【請求項１５】
前記折り畳み式のモバイルデバイスが、広げられた状態で動作するとき、前記第1の接触構造は前記第1の部分の十分に内側になる、請求項1に記載の折り畳み式のモバイルデバイス。
【請求項１６】
折り畳み式のモバイルデバイスであって、
前記モバイルデバイスの折り畳まれた状態を可能にするために、ハウジングの折り畳み軸の周りに折り畳み可能な第1の部分と第2の部分とを有する前記ハウジングであって、前記第1の部分の後側に導電性の第1のプレートが構成され、前記第1のプレートは非導電性材料の第1の層によって十分に覆われており、前記第2の部分の後側に導電性の第2のプレートが構成され、前記第2のプレートは非導電性材料の第2の層によって十分に覆われている、ハウジングと、
前記ハウジングに動作可能に組み付けられたアンテナと、
前記第1の部分の前側および前記第2の部分の前側に取り付けられたディスプレイであって、前記第1の部分の前記前側は前記第1の部分の前記後側の反対側にあり、前記第2の部分の前記前側は前記第2の部分の前記後側の反対側にあり、前記モバイルデバイスが、前記折り畳まれた状態で動作するとき、前記第1の層と前記第2の層とが、前記アンテナの性能のために電磁的損失モード共鳴の存在を十分に制限するように構成された離隔距離を有する前記第1のプレートと前記第2のプレートとの間に挟まれる、ディスプレイと
を含む、折り畳み式のモバイルデバイス。
【請求項１７】
前記第1のプレートと前記第2のプレートとの間の前記離隔距離は、前記第1の層の厚さの値と前記第2の層の厚さの値との合計に十分等しい、請求項16に記載の折り畳み式のモバイルデバイス。
【請求項１８】
前記離隔距離が0．3mm以下である、請求項16に記載の折り畳み式のモバイルデバイス。
【請求項１９】
前記離隔距離が0．2mm以下である、請求項16に記載の折り畳み式のモバイルデバイス。
【請求項２０】
前記離隔距離が0．1mm以下である、請求項16に記載の折り畳み式のモバイルデバイス。
【請求項２１】
前記第1のプレートと前記第2のプレートとは、前記折り畳まれた状態において導電的に接続され、前記第1の部分および前記第2の部分は第1の磁石ブロックおよび第2の磁石ブロックをそれぞれ含み、前記第1の磁石ブロックおよび前記第2の磁石ブロックは、前記折り畳まれた状態において、前記導電的な接続のために前記第1のプレートおよび前記第2のプレートを磁気によって位置決めするように構成される、請求項16に記載の折り畳み式のモバイルデバイス。
【発明の詳細な説明】
【技術分野】
【０００１】
関連出願への相互参照
本出願は、2017年8月22日にHuixiang Liuらによって出願され、「折り畳み式モバイルデバイス」と題される、米国仮特許出願第62／548，780号に対する優先権、および2017年10月26日にHuixiang Liuらによって出願され、「折り畳み式モバイルデバイス」と題される、米国非仮特許出願第15／794，874号の優先権、を主張し、両方ともその全体が参照により本明細書に組み込まれる。
【背景技術】
【０００２】
折り畳み式携帯電話は、折り畳まれ／広げられることができるシャーシまたはデバイスハウジングを組み込み得る。折り畳み式携帯電話は、プロセッサと、センサと、その他通常のスマートフォン回路とを含み得る。たとえば、折り畳み式携帯電話は、アンテナと、カメラと、ディスプレイコントローラと、スピーカモジュールおよび光センサと、マイクと、CPUおよびGPUと、バイブレータと、その他必要な部品を含む場合がある。折り畳み式携帯電話は、電話が折り畳まれているのかそれとも広げられているかに応じて、ディスプレイ領域をサイズ変更するためにフレキシブルディスプレイをさらに組み込み得る。携帯電話が広げられたとき、ディスプレイ領域が増加され得る。通常、折り畳まれた携帯電話は、スモールフォームファクタで持ち運ぶためのユーザ利便性を提供する。
【発明の概要】
【課題を解決するための手段】
【０００３】
本開示の一態様によれば、デバイスの折り畳まれた状態を可能にするために、ハウジングの折り畳み軸の周りに折り畳み可能な第1の部分と第2の部分とを有するハウジングと、ハウジングに動作可能に組み付けられたアンテナと、第1の部分の前側および第2の部分の前側に取り付けられたディスプレイとを含む、折り畳み式モバイルデバイスが提供される。第1の部分は、第1の部分の前側の反対側の第1の部分の後側に構成された第1のプレートと、第1の接触構造とを有する。第2の部分は、第2の部分の前側の反対側の第2の部分の後側に構成された第2のプレートを有する。モバイルデバイスが、折り畳まれた状態で動作するとき、第1のプレートと第2のプレートとは、第1の接触構造を介して互いに導電的に結合される。
【０００４】
任意選択的に、上述の任意の態様において、態様の別の実施態様は、モバイルデバイスが折り畳まれたときに、第1の接触構造が、第1のプレートと第2のプレートとの間に存在する電磁的損失モード共鳴からアンテナを十分に切り離すように構成されることを提供する。
【０００５】
任意選択的に、上述の任意の態様において、態様の別の実施態様は、モバイルデバイスが折り畳まれたときに、第1の接触構造が、第1のプレートと第2のプレートとの間に存在する電磁的損失モード共鳴を低減するように構成されることを提供する。
【０００６】
任意選択的に、上述の任意の態様において、態様の別の実施態様は、第1のプレートおよび第2のプレートが導電性材料で作製されることを提供する。
【０００７】
任意選択的に、上述の任意の態様において、態様の別の実施態様は、ディスプレイが、第1の部分の前側に第1のディスプレイ領域、および第2の部分の前側に第2のディスプレイ領域を有するフレキシブルディスプレイを含むことを提供する。フレキシブルディスプレイは、折り畳み式モバイルデバイスが、広げられた状態にあるとき、十分に、平らな面上に第1のディスプレイ領域および第2のディスプレイ領域の両方を提供する。
【０００８】
任意選択的に、上述の任意の態様において、態様の別の実施態様は、ディスプレイが、2つの物理的に別個のディスプレイ画面を含むことを提供する。
【０００９】
任意選択的に、上述の任意の態様において、態様の別の実施態様は、折り畳み式モバイルデバイスが、折り畳まれた状態にあるとき、ディスプレイが、折り畳み式モバイルデバイスの外側から物理的に見えることを提供する。
【００１０】
任意選択的に、上述の任意の態様において、態様の別の実施態様は、第1の接触構造が、パターンに従って第1のプレートにわたって構成された1または複数の導電性ピンを含み、2つの隣接する導電性ピン間の距離が離隔閾値によって制限されることを提供する。
【００１１】
任意選択的に、上述の任意の態様において、態様の別の実施態様は、離隔閾値が15mm未満であることを提供する。
【００１２】
任意選択的に、上述の任意の態様において、態様の別の実施態様は、第1の接触構造が、1または複数の導電性バーを含むことを提供する。
【００１３】
任意選択的に、上述の任意の態様において、態様の別の実施態様は、第1のプレートの外側の表面が、非導電性材料の第1の層によって十分に覆われており、第2のプレートの外側の表面が、非導電性材料の第2の層によって十分に覆われていることを提供する。
【００１４】
任意選択的に、上述の任意の態様において、態様の別の実施態様は、第2のプレートの側方は、デバイスが、折り畳まれた状態にあるときに、第1のプレートを第2のプレートに導電的に結合させるために第1の接触構造と接触すべき導電性領域を伴って構成されることを提供する。
【００１５】
任意選択的に、上述の任意の態様において、態様の別の実施態様は、第2のプレートの第2の接触構造を提供し、導電性領域が第2の接触構造によって提供されることを提供する。
【００１６】
任意選択的に、上述の任意の態様において、態様の別の実施態様は、第1のプレートが第1の部分の後側を十分に覆い、第2のプレートが第2の部分の後側を十分に覆うことを提供する。
【００１７】
任意選択的に、上述の任意の態様において、態様の別の実施態様は、第1の部分および第2の部分が、第1の磁石ブロックおよび第2の磁石ブロックをそれぞれ含むことを提供する。第1の磁石ブロックおよび第2の磁石ブロックは、折り畳み式モバイルデバイスが、折り畳まれた状態にあるときに、導電結合のために第1のプレートおよび第2のプレートを磁気によって位置決めするように構成される。
【００１８】
任意選択的に、上述の任意の態様において、態様の別の実施態様は、折り畳み式モバイルデバイスが、広げられた状態で動作するとき、第1の接触構造が第1の部分の十分に内側になることを提供する。
【００１９】
本開示の一態様によれば、ハウジングと、アンテナと、ディスプレイとを含む折り畳み式モバイルデバイスが提供される。ハウジングは、デバイスの折り畳まれた状態を可能にするために、ハウジングの折り畳み軸の周りに折り畳み可能な第1の部分と第2の部分とを有し、第1の部分の後側に第1の導電性プレートが構成され、第1の導電性プレートは非導電性材料の第1の層によって十分に覆われており、第2の部分の後側に第2の導電性プレートが構成され、第2の導電性プレートは非導電性材料の第2の層によって十分に覆われている。アンテナは、ハウジングに動作可能に組み付けられる。ディスプレイは、第1の部分の前側および第2の部分の前側に取り付けられ、第1の部分の前側は第1の部分の後側の反対側にあり、第2の部分の前側は第2の部分の後側の反対側にあり、モバイルデバイスが、折り畳まれた状態で動作するとき、第1の層と第2の層とが、アンテナの性能のために電磁的損失モード共鳴の存在を十分に制限するように構成された離隔距離を有する第1のプレートと第2のプレートとの間に挟まれる。
【００２０】
任意選択的に、上述の任意の態様において、態様の別の実施態様は、第1のプレートと第2のプレートとの間の離隔距離は、第1の層の厚さの値と第2の層の厚さの値との合計に十分に等しいことを提供する。
【００２１】
任意選択的に、上述の任意の態様において、態様の別の実施態様は、離隔距離が0．3mm以下であることを提供する。
【００２２】
任意選択的に、上述の任意の態様において、態様の別の実施態様は、離隔距離が0．2mm以下であることを提供する。
【００２３】
任意選択的に、上述の任意の態様において、態様の別の実施態様は、離隔距離が0．1mm以下であることを提供する。
【００２４】
任意選択的に、上述の任意の態様において、態様の別の実施態様は、第1のプレートと第2のプレートとは、折り畳まれた状態において導電的に接続され、第1の部分および第2の部分は第1の磁石ブロックおよび第2の磁石ブロックをそれぞれ含み、第1の磁石ブロックおよび第2の磁石ブロックは、折り畳まれた状態において、導電接続のために第1のプレートおよび第2のプレートを磁気によって位置決めするように構成される、ことを提供する。
【００２５】
本開示のより完全な理解のために、ここで、添付図面および詳細な説明に関連してなされる以下の簡単な説明が参照され、同様の符号は同様の部分を表す。
【図面の簡単な説明】
【００２６】
【図１】本開示の一実施形態に係る、広げられたときの折り畳み式モバイルデバイスの正面図を示す。
【図２】本開示の一実施形態に係る、折り畳まれたときの折り畳み式モバイルデバイスの正面図を示す。
【図３】本開示の一実施形態に係る、広げられたときの折り畳み式モバイルデバイスの背面図を示す。
【図４】本開示の一例に係る、折り畳まれたときの折り畳み式モバイルデバイスの電磁的損失モード共鳴の効果を示す。
【図５】本開示の一実施形態に係る、広げられたときの折り畳み式モバイルデバイスの背面図を示す。
【図６】本開示の一実施形態に係る、折り畳み式デバイスのための例示的な金属バネを示す。
【図７】本開示の一実施形態に係る、折り畳み式デバイスのための例示的なポゴピンを示す。
【図８】本開示の一実施形態に係る、折り畳み式デバイスのための例示的な金属ピンを示す。
【図９】本開示の一実施形態に係る、デバイスの折り畳み性を可能にするための形状記憶金属の弾性を示す。
【図１０】本開示の一実施形態に係る、折り畳まれたときの折り畳み式モバイルデバイスの側面図を示す。
【図１１】本開示の一実施形態に係る、例示的な、緩和された電磁的損失モード共鳴の効果を示す。
【図１２】本開示の一実施形態に係る、折り畳まれたときの折り畳み式モバイルデバイスの背面図を示す。
【図１３】本開示の一実施形態に係る、広げられたときの折り畳み式モバイルデバイスの背面図を示す。
【図１４】本開示の一実施形態に係る、広げられたときの折り畳み式モバイルデバイスの背面図を示す。
【図１５】本開示の一実施形態に係る、折り畳まれたときの折り畳み式モバイルデバイスの側面図を示す。
【図１６】本開示の一実施形態に係る、例示的な、緩和された電磁的損失モード共鳴の効果を示している。
【発明を実施するための形態】
【００２７】
1または複数の実施形態の例示的な実施態様が以下に提供されるが、開示されるシステムおよび／または方法は、現在知られているかもしくは存在しているか、にかかわりなく、任意の数の技術を使用して実施され得る、ということが最初に理解されるべきである。本開示は、本明細書に示されおよび説明される例示的な設計および実施態様を含んで、以下に示される例示的な実施態様、図面、および技術に、決して限定されるべきではなく、添付の特許請求の範囲内でそれらの等価物のすべての範囲と共に修正され得る。
【００２８】
また、さまざまな実施形態において個別または別個として説明および示される技術、システム、サブシステム、および方法は、本開示の範囲から逸脱することなく、他のシステム、モジュール、技術、または方法と組み合わせられ、または統合され得る。相互に、結合もしくは直接結合されるか、または通信するように示されるか議論される他のアイテムは、電気的、機械的、もしくは別の方法かにかかわらず、いくつかのインタフェース、デバイス、または中間コンポーネントを介して間接的に結合され得るかまたは通信し得る。変更、代用、および代替の他の例は、当業者によって確認可能であり、本明細書に開示される精神および範囲から逸脱することなくなされることができる。
【００２９】
いくつかの実施形態では、折り畳み式モバイルデバイスは、第1の部分と第2の部分とを含むことができ、第1の部分の後側に第1のプレートが構成され、第2の部分の後側に第2のプレートが構成される。いくつかの実施形態では、第1のプレートは第1の部分の後側を十分に覆い、第2のプレートは第2の部分の後側を十分に覆う。さらに、第1の接触構造が第1のプレート上に定義され得る。第1のプレート、第2のプレート、および第1の接触構造はすべて、導電性である。したがって、第1のプレートと第2のプレートとは、第1の接触構造を介して互いに導電的に結合され得る。第1の接触構造は、折り畳み式携帯電話が折り畳まれた状態であるかもしくは広げられた状態であるかにかかわらず、突起を形成する。いくつかの実施形態では、第1の接触構造は、折り畳み式携帯電話が、折り畳まれた状態にあるときは、1または複数の突起を形成し、折り畳み式携帯電話が、広げられた状態にあるときは、第1の部分の中に入り込む。第1の接触構造は、1または複数の導電性ピンまたは導電性バーを含み得る。
【００３０】
モバイルデバイスが折り畳まれたとき、第1のプレートと第2のプレートとは、第1の接触構造を介して互いに導電的に結合（たとえば、電気的に接続または短絡）される。いくつかの実施形態では、第1のプレートおよび第2のプレートのいずれかが、非導電（または絶縁）層で覆われており、非導電層はプレートを外部の物理的損傷から防ぐまたは保護するために使用され得る。いくつかの実施形態では、第1のプレートおよび第2のプレートのそれぞれが、プレートの一部分を覆うかまたは十分に（たとえば、片側または後側を）覆う非導電層で覆われている。非導電層は、第1のプレートと第2のプレートとの間の導電結合を妨げないように構成され得る。一例では、第1のプレート上に第1の接触構造が定義され、第1の接触構造および第1のプレートの表面が非導電層で覆われているかにかかわらず、電流が第1の接触構造と第1のプレートとの間を流れ得る。さらに、第2のプレートの接触領域は非導電層で覆われておらず、および第1の接触構造の接触点は非導電層で覆われておらず、モバイルデバイスが折り畳まれたときに、接触点は、接触構造と第2のプレートとを接続するために使用される。こうしたシナリオでは、モバイルデバイスが折り畳まれたとき、接触構造は、接触点および接触領域を介して第2のプレートに導電的に接触し得、第1のプレートと第2のプレートとを導電的に結合する。
【００３１】
本開示の一例では、2つのプレートが接近しているが互いに導電的に結合されていないとき、電磁的損失モード共鳴（たとえば、折り畳み式デバイスのアンテナ性能に影響を与えるおそれのある特定の種類の電磁共鳴現象）が、折り畳み式デバイスの2つのプレート間に存在することができる。この実施形態では、第1のプレートと第2のプレートとが互いに導電的に結合されているため、第1のプレートと第2のプレートとの間に電磁的損失モード共鳴がないかまたはほとんどない。その結果、モバイルデバイスのアンテナの性能に対する電磁的損失モード共鳴によって引き起こされる悪影響が排除される。
【００３２】
いくつかの実施形態では、折り畳み式モバイルデバイスは接触構造を有していないが、2つのプレートのそれぞれは非導電層で覆われている。折り畳み式モバイルデバイスが折り畳まれたとき、2つの非導電層が第1のプレートと第2のプレートの間に挟まれる。第1のプレートおよび第2のプレートは、モバイルデバイス内のアンテナの性能のために電磁的損失モード共鳴の存在を十分に制限するように構成された離隔距離を有する。
【００３３】
本開示の一例によれば、図1および図2は、折り畳まれた（または折り畳まれた状態にある）ときの折り畳み式モバイルデバイス100の正面図および広げられた（または広げられた状態にある）ときのデバイス100の正面図をそれぞれ示している。
【００３４】
図1を参照して、デバイス100は、携帯電話、モバイルタブレット、および任意のモバイルの折り畳み式電子デバイスであり得る。デバイス100は、第1の部分120および第2の部分130を有するハウジングを含み得る。第1の部分120と第2の部分130とは、十分類似したサイズ、形状、および厚さで構成され得る。第1の部分120と第2の部分130とは、異なるサイズ、形状、または他の適用可能な物理特性で構成されてもよい。第1および第2の部分120、130は、ハウジングの折り畳み軸140の周りに折り畳み可能である。第1および第2の部分120、130は、折り畳み式モバイルデバイスが、折り畳まれたモードまたは広げられたモードで動作することを可能にするために、折り畳み軸140の周りに回転可能に構成され得る。
【００３５】
デバイス100は、ハウジングに組み付けられたアンテナ190をさらに含み得る。アンテナは、図1に示されるように第1の部分120に組み付けられ得るか、または第2の部分130（図示されず）に組み付けられ得る。さらに、アンテナは、部分的に第1の部分120および部分的に第2の部分130（図示されず）に組み付けられ（たとえば、構成または配置され）てもよい。アンテナは、第1の部分120の1または複数の縁に沿って組み付けられる。アンテナは、第2の部分130の1または複数の縁に沿って組み付けられてもよい。さらには、折り畳み式モバイルデバイスは、第1の部分120の前側121および第2の部分130の前側131に取り付けられたディスプレイ150を含む。ディスプレイ150は、2つのディスプレイ領域を有するフレキシブルディスプレイを含み得る。ディスプレイ150は、電子インクディスプレイ、有機発光ダイオードディスプレイ、または他の適切なフレキシブルディスプレイに基づき得る。ディスプレイ150は、2つ以上の物理的に別個のディスプレイ画面を含む。別個のディスプレイ画面のそれぞれは、フレキシブルまたは非フレキシブルであり得る。モバイルデバイス内のプロセッサの制御に基づいて、2つ以上の物理的に別個のディスプレイ画面は、1つの画像または1つの映像を表示するために互いに連携し得る。物理的に別個のディスプレイ画面は、電子インクディスプレイおよびLEDに基づき得る。折り畳み式モバイルデバイスが、折り畳まれた状態にあるとき、ディスプレイは折り畳み式モバイルデバイスの外側から物理的に見える。
【００３６】
図3は、本開示の一例に係る、広げられたモードまたは状態で動作するデバイス100の背面図を示している。第1の部分120は、第1の部分120の背側または後側122に構成された第1のプレート123を含み得る。第1のプレート123は、導電性材料で作製され得る。図1および図2に示されるように、第1の部分120のデバイス100の前側121（図3には示されず）は、第1の部分120の後側122の反対側にある。デバイス100が、折り畳まれたモードで動作するとき、第1の部分120の前側121と第1の部分120の後側122は、互いに対して十分に平行であり得る。同様に、折り畳み式モバイルデバイスは、第2の部分130の後側132に構成された第2のプレート133を含む。第2のプレート133は、導電性材料で作製され得る。
【００３７】
図3には示されていないが図1および図2に示されている前側131と、後側132とは、第2の部分130の2つの反対の側を形成する。前側131は、第2の部分130の後側132と十分に平行であり得る。第1のプレート123の外側の表面および第2のプレート133の前側の表面のそれぞれまたはいずれかは、非導電層で十分に覆われている。たとえば、非導電層124は第1のプレート123を覆い、同様に非導電層134は第2のプレート133を覆い得る。プレートの外側の表面を覆う非導電層は、物理的損傷によって引き起こされるプレートの損傷を防ぐ保護酸化物層を含み得る。折り畳み式モバイルデバイス100が折り畳まれたとき、または折り畳まれたモードにあるとき、非導電層124と非導電層134とは、互いに直接隣接し得、導電的に互いに物理的接触し得る。第1のプレート123の外側の表面と第2のプレート133の外側の表面とは、デバイス100が、折り畳まれたモードにあるときに、互いに十分に覆うようにサイズ決めされることができる。
【００３８】
折り畳み式モバイルデバイスが折り畳まれたとき、第1のプレート123と第2のプレート133との間にいくらかの電磁的損失モード共鳴が生成され得る。図4は、本開示の例に係る、折り畳み式モバイルデバイスの電磁的損失モード共鳴の効果を示している。示されるように、セルラ周波数帯域（700MHz〜3．8GHz）内に最大15個の損失モードが存在している。電磁的損失モード共鳴は、折り畳み式モバイルデバイスのアンテナの性能に悪影響を及ぼすことになる。良好なアンテナ放射効率を確保するために、悪影響を緩和することが重要である。
【００３９】
いくつかの実施形態では、アンテナを損失モードから切り離すために、第1のプレート123の外側の表面に接触構造が定義され得る。接触構造は、金属などの導電性材料で作製され得る。折り畳み式モバイルデバイス100が折り畳まれたとき、接触構造は、第1のプレート123を第2のプレート133と導電的に結合し得る。
【００４０】
第2のプレート133は、第2の層134で覆われていない導電性領域を有し得る。第2のプレート133の導電性領域および第1のプレート123の接触構造は、接触構造の各ピンまたはバーが1つの導電性領域と物理的接触することを可能にするように構成され得る。
【００４１】
第1の接触構造は、折り畳み式モバイルデバイスが折り畳まれたときに、導電性領域に物理的および導電的に接触し得る。接触構造と導電性領域との導電性接触は、折り畳み式モバイルデバイス100が折り畳まれたときに、第1のプレート123および第2のプレート133を互いに導電的に結合させる。その結果、第1のプレート123および第2のプレート133の電圧値または電圧レベル間の差は、第1のプレートと第2のプレートとの間の電磁的損失モード共鳴を緩和するために、十分にゼロ同然に近くなるように大幅に低減されることができる。その結果、電磁的損失モード共鳴によってアンテナに対して引き起こされる悪影響は排除される。
【００４２】
いくつかの実施形態では、第2のプレート133上に第2の接触構造が定義される。第2の接触構造は導電性材料で作製される。いくつかの実施形態では、第2の接触構造は、第2のプレート133の一部と見なされ得る。いくつかの実施形態では、第2の層134で覆われていない導電性領域内に第2の接触構造が定義される。折り畳み式モバイルデバイスが折り畳まれたとき、第1のプレート123と第2のプレート133とが互いに導電的に結合されるように、第1の接触構造と第2の接触構造とが互いに接触することができる。
【００４３】
図5は、本開示の一実施形態に係る、広げられたときの折り畳み式モバイルデバイスの背面図を示している。図5に示されるような折り畳み式モバイルデバイスが、広げられた状態にあるとき、その正面図は図1に示されるような正面図と同じであり得る。図5に示されるような折り畳み式モバイルデバイスが、広げられた状態にあるとき、その正面図は図2に示されるような正面図と同じであり得る。図5に示されるように、第1のプレート123上の第1の接触構造および第2のプレート133上の第2の接触構造として、複数のピン160が、第1のプレート123および第2のプレート133上にそれぞれ定義される。複数のピン160は、損失モード共鳴がアンテナの性能に悪影響を及ぼすことができないように、第1のプレート123と第2のプレート133との間に存在するいくらかの損失モード共鳴からアンテナ（図5には示されず）を十分にまたは部分的に切り離す、または隔離することを可能にするために、ある一定のパターンまたは設計で配置され得る。たとえば、ピン160の配置は、複数の線、円または他の適用可能な形態またはパターンの形態であり得る。
【００４４】
いくつかの実施形態では、第1のプレート123上に複数の線が均等に配置される。2本の隣接する線間の距離は、ステップまたは離隔閾値と呼ばれ得る。ステップは、15mm未満、12mm未満、10mm未満、または8mm未満であり得る。いくつかの実施形態では、第1のプレート123上の2つの隣接するピン間の離隔閾値（距離）は、15mm未満、12mm未満、10mm未満、または8mm未満であり得る。より多くのピンの線が存在するとき、アンテナを電磁的損失モード共鳴から切り離す効果はより良好となり得る。
【００４５】
いくつかの実施形態では、図5によって示されるように、複数のピン160は第1のプレート123の外側の表面および第2のプレート133の外側の表面を覆い、複数のピン160が定義されている領域を除いて、第1のプレート123の外側の表面および第2のプレート133の外側の表面を非導電層が覆う。
【００４６】
いくつかの実施形態では、線上のいくつかの隣接するピン160について、いずれの2つの隣接するピン間の距離も15mm未満、12mm未満、10mm未満、または8mm未満である。いくつかの実施形態では、線上の2つの隣接するピン160間の平均距離は、15mm未満、12mm未満、10mm未満、または8mm未満である。図5ではピン160の線は十分にまっすぐであるが、いくつかの実施形態ではピン160の線は曲線形状であり得る。
【００４７】
図6は、本開示の一実施形態に係る金属バネを示している。図7は、本開示の一実施形態に係るポゴピンを示している。図8は、本開示の一実施形態に係る金属ピンを示している。ピン160は、図6に示されるような金属バネを含み得る。いくつかの実施形態では、ピン160は、図7に示されるようなポゴピンを含み得る。いくつかの実施形態では、ピン160は、図8に示されるような金属ピンを含み得る。
【００４８】
図9は、本開示の一実施形態に係る、変形させられた形状記憶金属の回復を示している。いくつかの実施形態では、ピン160は、形状記憶金属で作製され得る。形状記憶金属は、形状記憶合金とも呼ばれ、自身の元の形状を「記憶」し、負荷の除去後または加熱されたときに、自身の変形させられる前の形状（元の形状）に戻ることができる合金である。図9に示されるように、負荷と関連する形状記憶金属について、形状記憶金属に圧力が印加されたとき、形状記憶金属の形状が変化する。圧力が除去されたとき、形状記憶金属の形状は自身の元の形状に戻る。
【００４９】
図10は、本開示の一実施形態に係る、折り畳まれたときの折り畳み式モバイルデバイスの側面図を示している。第1の部分120および第2の部分130は、折り畳み式モバイルデバイスが、折り畳まれた状態にあるときに、導電結合のために第1のプレート120および第2のプレート130を一緒に磁気によって位置決めするように構成された、第1の磁石ブロック180および第2の磁石ブロック180をそれぞれ含む。
【００５０】
図11は、本開示の一実施形態に係る、例示的な、緩和された電磁的損失モード共鳴の効果を示している。図3に示されるモバイルデバイスの電磁的損失モード共鳴（緩和なし）が線210によって示され、図5および／または図10によって示されるモバイルデバイスの緩和された電磁的損失モード共鳴（緩和あり）が線240によって示されている。図11に示されるように、図5および／または図10によって示されるモバイルデバイスの電磁的損失モード共鳴は大幅に緩和される。
【００５１】
いくつかの実施形態では、折り畳み軸140は、折り畳み式モバイルデバイスが、折り畳まれた状態にあるとき、導電結合のために第1のプレート120および第2のプレート130に圧力を提供し得るバネとワッシャとを含み得る。いくつかの実施形態では、折り畳み軸140は、折り畳み式モバイルデバイスが、折り畳まれた状態にあるとき、第1のプレート120および第2のプレート130が導電結合のために位置決めされるように、第1のプレート120および第2のプレート130がある一定の角度にセットされたときに、（たとえば、ホイル、軸、またはスピンドルなどの回転を機械的に抵抗、または拘束するための）ディテント機能を提供し得る受動カムおよび能動カムをさらに含む。
【００５２】
図12は、本開示の一実施形態に係る、折り畳まれたときの折り畳み式モバイルデバイスの背面図を示している。図12に示されるような折り畳み式モバイルデバイスが、広げられた状態にあるとき、その正面図は図1に示されるような正面図と同じであり得る。図12に示されるような折り畳み式モバイルデバイスが、折り畳まれた状態にあるとき、その正面図は図2に示されるような正面図と同じであり得る。図12に示されるように、破線の矩形125の内側の領域など、第1のプレート123の外側の表面の一部、および破線の矩形135の内側の領域など、第2のプレート133の外側の表面の一部、を複数のピン160が覆う。第1のプレート123上のピンは一方の接触構造であり得、第2のプレート133上のピンはもう一方の接触構造であり得る。いくつかの実施形態では、破線の矩形125の内側の領域および破線の矩形135の内側の領域は、非導電層で覆われていない。いくつかの実施形態では、破線の矩形125の外側の領域および破線の矩形135の外側の領域は、非導電層で覆われている。図12に示されるような折り畳み式モバイルデバイスが折り畳まれたとき、第1のプレート123上のピンと第2のプレート133上のピンは、第1のプレート123と第2のプレート133とが互いに導電的に結合されるように、互いに接続され得る。
【００５３】
図13は、本開示の一実施形態に係る、広げられたときの折り畳み式モバイルデバイスの背面図を示している。図13に示されるような折り畳み式モバイルデバイスが、広げられた状態にあるとき、その正面図は図1に示されるような正面図と同じであり得る。図13に示されるような折り畳み式モバイルデバイスが、折り畳まれた状態にあるとき、その正面図は図2に示されるような正面図と同じであり得る。図13に示されるように、複数のピン160は、破線の矩形125の外側の領域および破線の矩形135の外側の領域を十分に覆う。破線の矩形125の外側の領域上のピンは一方の接触構造に対応し得、破線の矩形135の外側の領域上のピンはもう一方の接触構造に対応し得る。いくつかの実施形態では、破線の矩形125の内側の領域および破線の矩形135の内側の領域は、非導電層で覆われている。いくつかの実施形態では、破線の矩形125の外側の領域および破線の矩形135の外側の領域は、非導電層で覆われていない。図13に示されるような折り畳み式モバイルデバイスが折り畳まれたとき、第1のプレート123上のピンと第2のプレート133上のピンは、第1のプレート123と第2のプレート133とが互いに導電的に結合されるように、互いに接続され得る。
【００５４】
図14は、本開示の一実施形態に係る、広げられたときの折り畳み式モバイルデバイスの背面図を示している。図14に示されるような折り畳み式モバイルデバイスが、広げられた状態にあるとき、その正面図は図1に示されるような正面図と同じであり得る。図14に示されるような折り畳み式モバイルデバイスが、折り畳まれた状態にあるとき、その正面図は図2に示されるような正面図と同じであり得る。図14に示されるように、バー170が、2つの接触構造として第1のプレート123および第2のプレート133上にそれぞれ定義されている。バー170は、折り畳み式モバイルデバイスが、折り畳まれた状態にあるとき、第1のプレート123と第2のプレート133とを導電的に結合するために使用される。1または複数のバー170は、金属などの導電性材料で作製される。図14に示されるように、バーは、第1のプレート123および第2のプレート133の両方の上に定義されている。いくつかの実施形態では、1または複数のバーは、第1のプレート123上のみ、または第2のプレート133上のみに定義され得る。こうしたシナリオでは、第1のプレート123と第2のプレート133とが互いに導電的に結合されるように、バーに導電的に接触するために導電性領域が相手のプレート上に定義され得る。図14に示されるように、1または複数のバー170は矩形形状に配置されている。いくつかの実施形態では、1または複数のバー170は、円形、楕円形、三角形、五角形または他の適用可能な形状に配置され得る。いくつかの実施形態では、第1のプレート123および第2のプレート133は、非導電層で十分に覆われている。いくつかの実施形態では、第1のプレート123の一部および第2のプレート133の一部は非導電層で覆われており、一方、第1のプレート123の別の部分および第2のプレート133の別の部分は非導電層で覆われていない。一例では、矩形形状の内側の領域は非導電層で覆われており、一方、矩形形状の外側の領域は非導電層で覆われていない。別の例では、矩形形状の外側の領域は非導電層で覆われており、一方、矩形形状の内側の領域は非導電層で覆われていない。
【００５５】
いくつかの実施形態では、モバイルデバイスの2つの接触構造（たとえば、ピン160またはバー170）は、モバイルデバイスが、広げられた状態にあるとき、モバイルデバイスの2つの部分（たとえば120、130）の内側に留まるようにそれぞれ構成される。さらに、モバイルデバイスが、折り畳まれた状態にあるとき、2つの接触構造は、第1の部分120と第2の部分130とが互いに導電的に結合するように、部分的にまたは十分にその部分の外側に出て互いに接触する。いくつかの実施形態では、部分130など、一方の部分は、接触構造を有していない。しかしながら、部分130など、その部分は、モバイルデバイスが折り畳まれたとき、部分120など、相手の部分を導電的に結合する接触構造に導電的に接触するように構成されている1または複数の接触領域を有する。したがって、モバイルデバイスが、折り畳まれた状態にあるとき、2つの部分は依然として互いに導電的に結合されている。
【００５６】
図15は、本開示の一実施形態に係る、折り畳まれたときの折り畳み式モバイルデバイスの側面図を示している。図15に示されるような折り畳み式モバイルデバイスが、広げられた状態にあるとき、その正面図は図1に示されるような正面図と同じであり得る。図15に示されるような折り畳み式モバイルデバイスが、折り畳まれた状態にあるとき、その正面図は図2に示されるような正面図と同じであり得る。図15に示されるように、折り畳み式モバイルデバイスは、携帯電話、モバイルタブレット、および任意のモバイルの折り畳み式電子デバイスであり得る。折り畳み式モバイルデバイスは、第1の部分120および第2の部分130を有するハウジングを有する。第1および第2の部分120、130は、ハウジングの折り畳み軸140の周りに折り畳み可能である。折り畳み軸140の周りの回転に基づいて、折り畳み式モバイルデバイスは折り畳まれ、または広げられ得る。折り畳み式モバイルデバイスは、ハウジングに組み付けられたアンテナをさらに含む。いくつかの実施形態では、アンテナは、第1の部分120または第2の部分130に組み付けられ得、部分的に第1の部分120および部分的に第2の部分130に組み付けられてもよい。いくつかの実施形態では、アンテナは、第1の部分120の1または複数の縁に沿って、または第2の部分130の1または複数の縁に沿って組み付けられる。さらには、折り畳み式モバイルデバイスは、第1の部分120の前側121および第2の部分130の前側131に取り付けられたフレキシブルディスプレイ150を含む。フレキシブルディスプレイ150は、電子インクディスプレイ、有機発光ダイオードディスプレイ、または他の適切なフレキシブルディスプレイに基づき得る。いくつかの実施形態では、折り畳み式モバイルデバイスは、前側121および前側131にそれぞれ取り付けられた、フレキシブルまたは非フレキシブルな2つの別個のディスプレイ画面を有する。
【００５７】
第1の部分120は、第1の部分120の後側122上に構成された第1のプレート123を有し、第1のプレート123は導電性材料で作製される。いくつかの実施形態では、第1の部分120の前側121は、第1の部分120の後側122と十分に平行である。いくつかの実施形態では、折り畳み式モバイルデバイス200は、第2の部分130の後側132上に構成された第2のプレート133を有し、第2のプレート133は導電性材料で作製される。いくつかの実施形態では、前側131は、第2の部分130の後側132に十分に平行になるように配置され得る。いくつかの実施形態では、第1のプレート123の前側の表面および第2のプレート133の前側の表面のそれぞれまたはいずれかは、非導電層で十分にまたは部分的に覆われており、第1のプレート123を覆う層は第1の非導電層（第1の層）124であり、第2のプレート133を覆う層は第2の非導電層（第2の層）134である。プレートの外側の表面を覆う非導電層は、物理的損傷によって引き起こされるプレートの損傷を防ぐ保護酸化物層であり得る。
【００５８】
いくつかの実施形態では、モバイルデバイスが、折り畳まれた状態で動作するとき、すなわち、モバイルデバイスが折り畳まれたとき、第1の層124および第2の層134は、第1のプレート123と第2のプレート133との間に挟まれる。第1のプレート123と第2のプレート133との間の離隔距離は、アンテナの性能のために電磁的損失モード共鳴の存在を十分に制限するように構成される。折り畳み式モバイルデバイスが折り畳まれたとき、2つの非導電層は互いに接触し、離隔距離は、第1の層124の厚さと第2の層134の厚さの値との合計に十分に等しくなる。いくつかの実施形態では、離隔距離は、0．1mm以下または他の適用可能な寸法構成以下である。いくつかの実施形態では、離隔距離は0．2mm以下である。いくつかの実施形態では、離隔距離は0．3mm以下である。たとえば0．1mm未満、0．2mm未満、0．3mm未満など、離隔距離が小さいとき、第1のプレートが第2のプレートに非常に近いため、第1のプレートと第2のプレートとの間の電磁的損失モード共鳴が緩和される。その結果、折り畳み式モバイルデバイスにおいてアンテナの性能に対して損失モード共鳴によって引き起こされる悪影響が排除される。
【００５９】
いくつかの実施形態では、図15に示されるように、第1の部分120および第2の部分130は第1の磁石ブロック180および第2の磁石ブロック180をそれぞれ含み、第1の磁石ブロック180および第2の磁石ブロック180は、折り畳み式モバイルデバイスが、折り畳まれた状態にあるときに、導電結合のために第1のプレート120および第2のプレート130を磁気によって位置決めするように構成される。
【００６０】
図16は、本開示の一実施形態に係る、例示的な、緩和された電磁的損失モード共鳴の効果を示している。図3に示されるような、緩和なしのモバイルデバイスにおいて測定された電磁的損失モード共鳴は、線230によって示され、図15に示されるような、緩和ありのモバイルデバイスにおいて測定された緩和された電磁的損失モード共鳴は、線240によって示されている。図16に示されるように、図15によって示されるモバイルデバイスの電磁的損失モード共鳴は大幅に緩和される。
【００６１】
いくつかの実施形態では、異なる図ではあるが同じ番号を有する部品または要素は、同じ部品または要素を指し得る。
【００６２】
1または複数の実施形態の例示的な実施態様が以下に提供されるが、開示されるシステムおよび／または方法は、現在知られているかもしくは存在しているか、にかかわりなく、任意の数の技術を使用して実施され得る、ということが最初に理解されるべきである。本開示は、本明細書に示されおよび説明される例示的な設計および実施態様を含んで、以下に示される例示的な実施態様、図面、および技術に、決して限定されるべきではなく、添付の特許請求の範囲内でそれらの等価物のすべての範囲と共に修正され得る。
【００６３】
また、さまざまな実施形態において個別または別個として説明および示される技術、システム、サブシステム、および方法は、本開示の範囲から逸脱することなく、他のシステム、モジュール、技術、または方法と組み合わせられ、または統合され得る。相互に、結合もしくは直接結合されるか、または通信するように示されるか議論される他のマッピングは、電気的、機械的、もしくは別の方法かにかかわらず、いくつかのインタフェース、デバイス、または中間コンポーネントを介して間接的に結合され得るかまたは通信し得る。変更、代用、および代替の他の例は、当業者によって確認可能であり、本明細書に開示される精神および範囲から逸脱することなくなされることができる。
【符号の説明】
【００６４】
100  折り畳み式モバイルデバイス
120  第1の部分、第1のプレート
121  第1の部分の前側
122  第1の部分の背側または後側
123  第1のプレート
124  非導電層、第1の層
125  破線の矩形
130  第2の部分、第2のプレート
131  第2の部分の前側
132  第2の部分の後側
133  第2のプレート
134  非導電層、第2の層
135  破線の矩形
140  折り畳み軸
150  フレキシブルディスプレイ
160  ピン
170  バー
180  第1の磁石ブロック、第2の磁石ブロック
190  アンテナ
200  折り畳み式モバイルデバイス
210  線
230  線
240  線
【図１】
0006966633.tif 000002
【図２】
0006966633.tif 000003
【図３】
0006966633.tif 000004
【図４】
0006966633.tif 000005
【図５】
0006966633.tif 000006
【図６】
0006966633.tif 000007
【図７】
0006966633.tif 000008
【図８】
0006966633.tif 000009
【図９】
0006966633.tif 000010
【図１０】
0006966633.tif 000011
【図１１】
0006966633.tif 000012
【図１２】
0006966633.tif 000013
【図１３】
0006966633.tif 000014
【図１４】
0006966633.tif 000015
【図１５】
0006966633.tif 000016
【図１６】
0006966633.tif 000017